(57)【要約】【課題】  記録された動画を一定時間単位で分割再生可能とする。【解決手段】  記録開始の指示に従い記録を開始し、記録停止の指示に従って記録を停止する通常記録モードで記録した動画に対し、一定時間毎のマークが付与されているかどうかを調べ（Ｓ１１）、付与されていなければ、マークを付与する（Ｓ１２）。通常記録モードで記録された動画をスナップ再生する場合（Ｓ１３）、付与されているマークに従い再生順を設定し（Ｓ１４）、設定した再生順で各区間を再生する（Ｓ１５）。【選択図】  図６
2010252208.tif 000002
【特許請求の範囲】
【請求項１】
撮像手段と、
前記撮像手段により得られた動画を記録媒体に記録し、前記記録媒体から動画を再生する記録再生手段と、
記録開始の指示から記録停止の指示までで前記動画を前記記録媒体に記録させる通常記録モードと、記録開始の指示からスナップ時間が経過すると自動的に記録を停止するスナップ記録モードとを設定する手段と、
前記通常記録モードで前記記録媒体に記録された動画を前記スナップ時間の単位で再生するように前記記録再生手段を制御する制御手段
とを備えることを特徴とする撮像装置。
【請求項２】
前記制御手段は、前記通常記録モードで記録された動画に対して前記スナップ時間ごとの再生開始または再生終了を示すマークを付与する手段と、
前記マークに従い、前記動画の前記マークで分けられる各区間の再生順を設定する手段
とを具備し、
前記再生順に従い前記動画の再生を前記記録再生手段に実行させることを特徴とする撮像装置。
【請求項３】
前記記録媒体に記録される動画を再生する通常再生モードと、前記記録媒体に記録される動画をスナップ時間単位で再生するスナップ再生モードとを設定する手段を備え、前記制御手段は前記スナップ再生モードにおいて、前記スナップ時間の単位で前記動画を再生するように前記記録再生手段を制御することを特徴とする請求項１または２に記載の撮像装置。
【請求項４】
さらに、
音楽データを格納する手段と、
前記スナップ記録モードで記録された動画の再生時間の総和を計測する手段と、
スナップ再生用に割り当てられた音楽データの再生時間を計測する手段と、
前記動画の再生時間の総和が、前記音楽データの再生時間よりも短い場合、前記記録媒体に記録される動画を前記スナップ時間単位で前記音楽データと一緒に再生させる手段
とを有することを特徴とする請求項３に記載の撮像装置。
【発明の詳細な説明】
【技術分野】
【０００１】
本発明は、撮像装置に関する。
【背景技術】
【０００２】
【先行技術文献】
【特許文献】
【０００３】
【特許文献１】特開２００４−１８０１９１号公報
【０００４】
従来、動画を撮影して記録媒体に記録するビデオカメラが知られている。ビデオカメラでは、通常、ユーザによる記録開始の指示操作に従い動画記録を開始し、ユーザによる記録終了の指示操作に従い動画記録を停止する。また、特許文献１には、記録開始の指示操作に従い動画撮影（録画）を開始し、所定時間後に撮影（録画）を自動停止する機能（スナップ撮影機能）又はモードを持つビデオカメラが記載されている。
【発明の概要】
【発明が解決しようとする課題】
【０００５】
スナップ撮影機能で撮影された複数のシーンを連続再生すると、各シーンの長さが一定であることから、所定時間毎に違うシーンが次々再生されることになる。
【０００６】
これに対し、通常の撮影モードで記録された動画の長さは一定ではない。そのため、通常撮影で記録された動画からスナップ撮影機能と同じ長さのシーンを取り出して再生するためには、ユーザが手動で再生位置を指定する必要がある。
【０００７】
本発明は、このような手間を省略できる撮像装置を提示することを目的とする。
【課題を解決するための手段】
【０００８】
本発明に係る撮像装置は、撮像手段と、前記撮像手段により得られた動画を記録媒体に記録し、前記記録媒体から動画を再生する記録再生手段と、記録開始の指示から記録停止の指示までで前記動画を前記記録媒体に記録させる通常記録モードと、記録開始の指示からスナップ時間が経過すると自動的に記録を停止するスナップ記録モードとを設定する手段と、前記通常記録モードで前記記録媒体に記録された動画を前記スナップ時間の単位で再生するように前記記録再生手段を制御する制御手段とを備えることを特徴とする。
【発明の効果】
【０００９】
本発明によれば、通常記録した動画の所定時間単位のスナップ再生を容易に実現できるため、利便性が向上する。
【図面の簡単な説明】
【００１０】
【図１】本発明の一実施例の概略構成ブロック図である。
【図２】操作装置５２に含まれる操作スイッチ例である。
【図３】再生リストの構成例である。
【図４】本実施例の記録時の動作フローチャートである。
【図５】記録映像と再生リストの説明図である。
【図６】本実施例の再生動作のフローチャートである。
【図７】本実施例の音楽を同時再生する動作のフローチャートである。
【発明を実施するための形態】
【００１１】
以下、図面を参照して、本発明の実施例を詳細に説明する。
【実施例１】
【００１２】
図１は、本発明に係る撮像装置の一実施例の概略構成ブロック図を示す。カメラユニット１０は、レンズユニット１２、撮像素子１４およびＡ／Ｄ処理部１６からなる。レンズユニット１２は、集光のための固定レンズ群、変倍レンズ群、絞り、変倍レンズ群の動きで移動した結像位置を補正する機能と焦点調節を行う機能とを兼ね備えた補正レンズ群からなる。レンズユニット１２は、撮像素子１４の撮像面上に被写体の光学像を結像する。撮像素子１４は光学像を電気画像信に変換する素子であり、例えばＣＣＤ（Charge Coupled Device）撮像素子からなる。Ａ／Ｄ処理部１６は、撮像素子１４からの撮像信号に所定の処理を施しデジタル画像データを出力する。図１には図示していないが、カメラユニット１０は、変倍レンズ群、絞りなどのアクチュエータ、手ぶれ補正のためのセンサ（例えば角速度センサ）および同補正手段（シフトレンズなど）を具備する。
【００１３】
マイクロコンピュータからなるカメラ制御装置１８は、全体を統轄制御する主制御装置２０からの制御信号に従いカメラユニットを制御し、カメラユニット１０からの合焦情報および手ぶれ情報などを主制御装置２０に伝達する。
【００１４】
マイクユニット２２は、周囲の音声を電気音声信号に変換する装置であり、増幅器および帯域制限フィルタを内蔵する。Ａ／Ｄ処理部２４は、マイクユニット２２の出力音声信号をデジタル音声データに変換する。
【００１５】
主制御装置２０はマイクロコンピュータからなる。主制御装置２０は、プログラムを格納するＲＯＭ、作業領域となるＲＡＭ、他のハードウエアとデータの受け渡しや制御用レジスタにアクセスするための外部バス、および時間を計測するタイマを有している。主制御装置２０は、バス２６を介して、以下に説明する種々の各ブロックを制御し、データを授受する。
【００１６】
エンコーダ２８ａは主制御装置２０の制御下で、Ａ／Ｄ処理部１６からの画像データ及びＡ／Ｄ処理部２４からの音声データをＭＰＥＧ（Moving Picture Experts Group）２方式で圧縮し、多重化して圧縮ビデオデータを生成する。エンコーダ２８ａはまた、例えばデータ位置とフレーム位置の変換に必要となる情報などを主制御装置２０に通知する機能を備えている。他方、デコーダ２８ｂは、圧縮ビデオデータを伸長し、ＩＴＵ−Ｒ  ＢＴ．６５６（ＣＣＩＲ６５６）等の規定方式に準拠する再生映像音声データを出力する。エンコーダ２８ａとデコーダ２８ｂは、いわゆる映像音声コーデック２８を構成する。
【００１７】
記録再生回路３２は、バス２６、映像音声コーデック２８、記録媒体３４及びメモリ３６とのインターフェースを有する。記録再生回路３２は、主制御装置２０の制御下で、映像音声コーデック２８と記録媒体３４との間でのデータ転送を仲介する。メモリ３６は、記録再生回路３２がエンコーダ２８ａの出力データを記録媒体３４に記録する際、及び記録媒体３４からデコーダ２８ｂに記録データを読み出す際に利用される。記録再生回路３２はダイレクトメモリアクセス（ＤＭＡ）機能を有しており、記録媒体３４およびメモリ３６に高速にデータを読み書きすることができる。記録再生回路３２は、主制御装置２０等から記録媒体３４の制御レジスタにアクセスするための変換を行う。記録媒体３４は、不揮発性半導体メモリを内蔵するメモリカードからなるが、ハードディスク装置または光ディスクなどであってもよい。主制御装置２０は記録媒体３４のファイルシステムに関する情報と記録媒体３４へのデータ読み書きを扱うプログラムを具備する。
【００１８】
記録媒体３４内には、撮影した映像データ３４ａと音楽データ３４ｂが格納可能である。映像データ３４ａは、カメラユニット１０から入力された映像およびマイクユニット２２から入力された音声からなる。音楽データ３４ｂは、映像データ３４ａの再生時に、音声の代わりに再生されうるデータであり、ＷＡＶＥ形式等で予め記録媒体３４内に格納される。記録媒体３４は記録再生回路３２と接続可能なインターフェースを有することは勿論である。
【００１９】
映像音声コーデック２８は、記録モードでは、Ａ／Ｄ処理部１６からの映像データをオンスクリーンディスプレイ（ＯＳＤ）部３８に供給し、再生モードで、デコーダ２８ｂによる再生映像データをＯＳＤ部３８に供給する。ＯＳＤ部３８は、映像音声コーデック２８からの映像データに各種設定を行うためのメニュー画面、タイトルまたは時間などの情報を重畳する。ＯＳＤ部３８はまた、映像音声コーデック２８からの映像データの画面サイズ（画素数）を縮小し、画面上の任意の位置に配置する機能も有する。
【００２０】
映像出力部４０は、ＯＳＤ部３８からの映像データを外部装置、例えば、テレビジョン受像機等に供給する。音声出力部４２は、デコーダ２８ｂからの再生音声データを外部装置、例えば、テレビジョン受像機等に供給する。
【００２１】
電子ビューファインダ（ＥＶＦ：Electronic View Finder）４４、記録モードで被写体の構図を視覚的に確認するためのものであり、映像音声コーデック２８からの映像データを表示する。液晶パネル４６は、ＥＶＦ４４よりは大画面であり、通常、再生映像をその場で確認するのに使用される。液晶パネル４６の表示面に重ねて、タッチパネル４８が装着されている。液晶パネル４６の画面にサムネイル画像や仮想ボタンを表示し、ユーザによるタッチパネル４８の操作を受け入れることで、種々の多様で柔軟な操作画面構成が可能になる。画面制御部５０が、液晶パネル４６に表示する仮想ボタンを制御し、タッチパネル４８の操作を演算し、判断する。
【００２２】
操作装置５２は、図２に示すように複数の操作スイッチ６０，６２，６４，６６からなり、タッチパネル４８と同様にユーザの指示を主制御装置２０に入力するのに使用される。記録開始ボタン６０は、記録の開始を主制御装置２０に指示する。記録停止ボタン６２は、記録の停止を主制御装置２０に指示する。単一の操作ボタンをトグル動作させて、記録開始ボタン６０及び記録停止ボタン６２として機能させてもよい。記録／再生切替えボタン６４は、記録モードまたは再生モードかを択一的に主制御装置２０に指示する。通常／スナップモード切替えボタン６６は、記録／再生の開始と終了の両方をユーザが指示する通常モードか、記録／再生の開始をユーザが指示するが、一定の設定時間の経過で自動的に記録／再生を終了するスナップモードを主制御装置２０に指示する。通常モードには、通常記録モードと通常再生モードがある。スナップモードには、スナップ記録モードとスナップ再生モードがある。例えば、スナップモードの設定時間（スナップ時間と呼ぶ）を４秒とすると、スナップ記録モードでは、記録開始ボタン６０の操作から４秒後までの動画を記録し、自動的に記録を停止する。スナップ再生モードでは、４秒のスナップ時間単位で記録映像が再生される。
【００２３】
ＥＥＰＲＯＭ５４は電気的に書き換え可能なＲＯＭであり、主制御装置２０の動作プログラムおよび固定データなどが格納される。
【００２４】
図３は、本実施例の再生リストの構成例を示す。再生リストは、映像ファイルフィールド７０、第１属性フィールド７２、第２属性フィールド７４、開始位置フィールド７６及び終了位置フィールド７８からなる。映像ファイルフィールド７０は１６ビット長であり、再生対象の映像ファイルを示すポインタが格納される。再生リスト内で複数の映像ファイルの並びを変更することで、再生順序を指定できる。
【００２５】
第１属性フィールド７２は８ビット長であり、マークのタイプを示す。マークタイプは、記録時に付与されたマークか、再生時に付与されたマークかを示す。第２属性フィールド７４は８ビット長であり、通常再生用のファイルかスナップ再生用のファイルかを示す。記録時に再生リストが生成される場合は、第１属性フィールド７２に値０が設定され、再生の際に再生リストが生成される場合には、第１属性フィールド７２に値１が設定される。第２属性フィールド７４には、映像ファイルが通常再生用の場合には、値０が設定され、映像ファイルがスナップ再生用の場合には、値１が設定される。
【００２６】
開始位置フィールド７６は３２ビット長であり、映像ファイルの再生開始位置を示す。終了位置フィールド７８は、３２ビット長であり、映像ファイルの再生終了位置を示す。
【００２７】
図４及び図５を参照して、通常記録時の動作及びスナップ記録時の動作を説明する。図４は、記録モードの動作フローチャートを示し、図５は再生リストの例を示す。ユーザは、記録／再生切替えボタン６４により記録モードへの切替えを主制御装置２０に指示し、通常／スナップ切替えボタン６６により通常記録モードまたはスナップ記録モードを主制御装置２０に指示する。
【００２８】
主制御装置２０は、記録モードで、通常／スナップ切替えボタン６６がスナップモードを示すときには（Ｓ１）、予め設定されているスナップ記録時間（例えば、４秒）でのスナップ記録を行う（Ｓ２）。すなわち、記録開始ボタン６０の操作に応じて、記録動作を開始し、スナップ記録時間の経過後（例えば、４秒後）に記録動作を停止する。このときに記録される映像Ａには、図５（ａ）に示すように、再生開始位置Ａ０と再生終了位置Ａ１にマークが付与される。その再生リストには、図５（ｂ）に示すように、再生開始位置にＡ０が、再生終了位置にＡ１がセットされる。映像Ａの再生リストが記録時に生成されるので、第１属性に値０が設定され、スナップ再生用の映像ファイルであるので、第２属性に値１が設定される。Ａ０及びＡ１は、記録媒体３４内の、所定時間単位で記録された動画の格納アドレス、または記録媒体３４に記録される動画ファイル上の相対位置を示す。
【００２９】
このように、記録開始ボタン６０を押すことで、スナップ記録時間単位の動画が記録され、動画に対応した再生リストが生成される。
【００３０】
スナップモードではない場合（Ｓ１）、通常記録を行う（Ｓ３）。すなわち、記録開始ボタン６０の操作に応じて記録動作を開始し、記録停止ボタン６２の操作に応じて記録動作を停止する。このときに記録される映像Ｂには、図５（ｃ）に示すように、再生開始位置Ｂ０と再生終了位置Ｂ４にマークが付与される。映像Ｂの再生リストには、図５（ｄ）に示すように、再生開始位置にＢ０が、再生終了位置にＢ４がセットされる。記録時に生成される再生リストであるので、第１属性に値０が設定される。映像Ｂは、通常再生用の映像ファイルであるので、第２属性に値０が設定される。
【００３１】
図６を参照して、スナップモードで記録映像を再生する場合の動作を説明する。図６は、その動作フローチャートを示す。
【００３２】
記録媒体３４に記録された動画に所定時間（スナップ時間）毎のマークが付与されているか否かを判断する（Ｓ１１）。この処理は、電源投入時、記録媒体装着時又は再生モード切り替え時に実行される。マークが付与されていない場合（Ｓ１１）、通常記録モードで記録した動画に対して、スナップ記録時間と同じ時間単位（例えば、４秒単位）でマークを付与する（Ｓ１２）。すなわち、図５（ｃ）に示すような映像Ｂに対して、先頭から４秒のスナップ再生時間単位でマークを付与していく。図５（ｅ）に示すように、スナップ再生の再生開始位置または再生終了位置を示すマークＢ１，Ｂ２，Ｂ３が新たに付与され、図５（ｆ）に示すような再生リストが生成される。
【００３３】
図５（ｅ）に示す例では、再生開始位置がＢ０で、再生終了位置がＢ１の映像Ｂ−１が映像Ｂから論理的に分離される。同様に、再生開始位置がＢ１で、再生終了位置がＢ２の映像Ｂ−２が生成される。再生開始位置がＢ２で、再生終了位置がＢ３の映像Ｂ−３が生成される。最後に、再生開始位置がＢ３で、再生終了位置がＢ４の映像Ｂ−４が生成される。図５（ｆ）に示す再生リストは再生時に生成されるので、第１属性には値１が設定される。また、スナップ再生用の映像ファイルになるので、第２属性には値１が設定される。なお、この際、映像（動画像）の再生時間がスナップ記録時の所定時間の整数倍で無い場合も考えられる。その場合、元の動画像から、所定時間に従ってｎ個の映像部分を作成する場合、ｎ−１個の映像部分をそれぞれ所定時間とする。そして、元の映像から、所定時間×（ｎ−１）の時間を引いた時間が最後の部分、例えば図５における映像Ｂ−４の長さとなる。
【００３４】
スナップ記録した動画を再生するか、通常記録した動画をスナップ時間単位で再生（スナップ再生）するかを判定する（Ｓ１３）。スナップ記録した動画を再生する場合（Ｓ１３）、スナップ記録モードで記録された動画のみを再生する（Ｓ１６）。具体的には、再生リスト中で、第１属性が値０で、かつ第２属性が値１である映像ファイルのみを再生する。
【００３５】
通常記録モードで記録した動画をスナップ再生する場合（Ｓ１３）、まず、主制御装置２０が、通常記録モードで記録された動画に付与されたマークの各区間が不連続な順番で再生されるように設定する（Ｓ１４）。再生順は、例えば、図５（ｆ）に示す再生リストの順番を変更することで、変更できる。また、再生順をユーザが設定しない場合には、マークを付与した各区間を不連続な順番で再生するように、ランダムな順番を設定するようにしてもよい。
【００３６】
再生の順番が設定されると（Ｓ１４）、通常記録モードで記録した動画の各区間が、設定された順番に従って再生される（Ｓ１５）。通常記録モードで記録した動画のみを再生するためには、再生リストの第１属性が値１で、かつ第２属性が値１である映像ファイルを抽出して再生すればよい。
【００３７】
なお、通常記録モードで記録した動画とスナップ記録モードで記録した動画をスナップ時間単位で再生する場合には、第２属性が値１である映像ファイルを再生すればよい。
【００３８】
スナップ再生時に、音楽データを同時に再生する動作を説明する。図７は、その動作フローチャートである。
【００３９】
記録媒体３４に動画と同時再生するように指定された音楽データが記録されているかどうかを調べる（Ｓ２１）。音楽データが記録されていなければ、終了する。
【００４０】
記録媒体３４に音楽データが記録されている場合（Ｓ２１）、スナップ再生用に割り当てられた音楽データの再生時間の総和と、スナップ記録モードで記録した動画の再生時間の総和とを比較する（Ｓ２２）。スナップ再生用に割り当てられる音楽データは、１曲分又は複数曲分を設定可能である。
【００４１】
動画の再生時間の総和に比べて音楽データの再生時間の総和が長い場合（Ｓ２２）、先に説明したように、通常記録モードで記録した動画に対して、スナップ記録の所定時間単位と同じ時間単位（例えば、４秒毎）でマークを付与する（Ｓ２３）。そして、通常記録モードで記録された動画に付与したマークの各区間が不連続な順番で再生されるように再生順番を設定する（Ｓ２４）。再生リストの第２属性が値１に設定されている映像ファイルを、ステップＳ２４で設定された再生順に従って音楽データと共に再生する（Ｓ２５）。これにより、通常記録された動画とスナップ記録された動画が、所定時間単位で音楽データと一緒に再生される。
【００４２】
また、動画の再生時間の総和に比べて音楽データの再生時間の総和が同じか短い場合（Ｓ２２）、再生リストの第２属性に値１が設定されている映像ファイルを、音楽データと共に再生する（Ｓ２５）。これにより、スナップ記録モードで記録した動画と音楽データが同時に再生される。このとき、所定時間単位で記録した動画を全て再生し終えるまで、スナップ再生用に割り当てられた音楽データを繰り返し再生する。
【符号の説明】
【００４３】
１０：カメラユニット
２０：主制御装置
２２：マイクユニット
２８：映像音声コーデック
２８ａ：エンコーダ
２８ｂ：デコーダ
３２：記録再生回路
３４：記録媒体
５２：操作装置
【図１】
2010252208.tif 000003
【図２】
2010252208.tif 000004
【図３】
2010252208.tif 000005
【図４】
2010252208.tif 000006
【図５】
2010252208.tif 000007
【図６】
2010252208.tif 000008
【図７】
2010252208.tif 000009